(57)【要約】  【課題】ＰＥＴボトルの保管場所を限定し強力に冷却すると共に近接する野菜保管場所を準密閉構造として隔離空間にさせ高湿低温を実現し野菜の長期保存を可能にし、蓋付き野菜ケースは差替えることにより野菜高湿保存とＰＥＴボトル追加保存ができる冷蔵庫を提供することを目的とする。  【解決手段】蓋付き野菜ケース１７一側壁と上段野菜容器１５の一側壁が近接して準密閉構造として下段野菜容器１６内を隔離空間にさせ、段違い仕切り板によりＰＥＴボトルと蓋付き野菜ケース１７の保管場所を限定して野菜室内で低温乾燥冷気によるＰＥＴボトルの冷却保存と低温高湿準密閉構造における野菜の長期新鮮保存の両立ができる冷蔵庫を製作できる。【選択図】図１
2010048426.tif 000002
【特許請求の範囲】
【請求項１】
上段野菜容器と、下段野菜容器と、蓋付き野菜ケースと、段違い仕切り板とからなる引出式野菜室を備えたことを特徴とする冷蔵庫。
【請求項２】
前記蓋付き野菜ケース一側壁と前記上段野菜容器の一側壁が近接して準密閉構造として前記下段野菜容器内を隔離空間にさせることを特徴とする請求項１に記載の冷蔵庫。
【請求項３】
前記段違い仕切り板によりＰＥＴボトルと前記蓋付き野菜ケースの保管場所を限定し、前記蓋付き野菜ケース保管位置では高さ低めの位置決めリブとして活用し、ＰＥＴボトル保管位置では前記上段野菜容器の底面に近接して準密閉構造として前記下段野菜容器内を隔離空間にさせることを特徴とする請求項１または２に記載の冷蔵庫。
【請求項４】
前記蓋付き野菜ケースの前記一側壁に保鮮補助機能分子の透過口を設け、前後逆挿入した場合前記下段野菜容器に開いた冷気循環風路と位置関係が一致することを特徴とする請求項１から３のいずれか一項に記載の冷蔵庫。
【発明の詳細な説明】
【技術分野】
【０００１】
本発明は、野菜室におけるＰＥＴボトル冷却と縦置き野菜の高湿保存を両立させた冷蔵庫に関するものである。
【背景技術】
【０００２】
近年、冷蔵庫を使用する環境は多様であり求められる品質は厳しいものとなっている。そのため如何なる使用条件下においても冷却食品保存を確保しなければならず、更に新鮮野菜の長期保存とＰＥＴボトルのまとめ買いにも冷却保存対応しなくてはならなくなってきている（例えば、特許文献１参照）。
【０００３】
以下、図面を参照しながら、上記従来の冷蔵庫について説明する。
【０００４】
図３（ａ）（ｂ）は、特許文献１に記載された従来の冷蔵庫１を示すものであり、外郭外箱２と内箱３と断熱ウレタン４により骨格を形成、上から冷蔵室５野菜室６切替室７冷凍室８が配置され冷蔵室５の扉は回転式扉９その他は引出式扉１０で隔離されている。野菜室６の中には上段野菜容器１１と下段野菜容器１２と仕切り板１３とより成っている。
【０００５】
上記構成において、野菜室６内でＰＥＴボトルを投入すると冷気循環量を増加させて野菜室６内の温度上昇を抑制しながら冷却している。
【特許文献１】特許第３５６８３４２号公報
【発明の開示】
【発明が解決しようとする課題】
【０００６】
しかしながら、上記従来の冷蔵庫では、ＰＥＴボトルを早期冷却するため冷却冷気をＰＥＴボトルに当てなければならず、近接する野菜は低温乾燥に曝され鮮度を失ってしまうという課題を有していた。
【０００７】
本発明は上記従来の課題を解決するものであり、ＰＥＴボトルの保管場所を限定し強力に冷却すると共に近接する野菜保管場所を準密閉構造として隔離空間にさせ高湿低温を実現し野菜の長期保存を可能にし、またＵＤ目線での野菜縦置き収納長期保鮮ができ、蓋付き野菜ケースは差替えることにより野菜高湿保存とＰＥＴボトル追加保存ができる冷蔵庫を提供することを目的とする。
【課題を解決するための手段】
【０００８】
上記従来の課題を解決するために、本発明の冷蔵庫は蓋付き野菜ケース一側壁と上段野菜容器の一側壁が近接して準密閉構造として下段野菜容器内を隔離空間にさせ、段違い仕切り板によりＰＥＴボトルと蓋付き野菜ケースの保管場所を限定し、蓋付き野菜ケース保管位置では高さ低めの位置決めリブとして活用し、ＰＥＴボトル保管位置では上段野菜容器の底面に近接して準密閉構造として下段野菜容器内を隔離空間にさせる、蓋付き野菜ケースの一側壁に保鮮補助機能分子の透過口を設け、前後逆挿入した場合下段野菜容器に開いた冷気循環風路と位置関係が一致することでＰＥＴボトルの追加冷却保管ができることを特徴とするものである。
【０００９】
これによって野菜室内で低温乾燥冷気によるＰＥＴボトルの冷却保存と低温高湿準密閉構造における野菜の長期新鮮保存の両立ができる冷蔵庫を製作できる。
【発明の効果】
【００１０】
本発明の冷蔵庫は、野菜室内で低温乾燥冷気によるＰＥＴボトルの冷却保存と低温高湿準密閉構造における野菜の長期新鮮保存の共存ができる。
【発明を実施するための最良の形態】
【００１１】
本発明は、蓋付き野菜ケース一側壁と上段野菜容器の一側壁が近接して準密閉構造として下段野菜容器内を隔離空間にさせ、段違い仕切り板によりＰＥＴボトルと蓋付き野菜ケースの保管場所を限定し、蓋付き野菜ケース保管位置では高さ低めの位置決めリブとして活用し、ＰＥＴボトル保管位置では上段野菜容器の底面に近接して準密閉構造として下段野菜容器内を隔離空間にさせる、蓋付き野菜ケースの一側壁に保鮮補助機能分子の透過口を設け、前後逆挿入した場合下段野菜容器に開いた冷気循環風路と位置関係が一致することでＰＥＴボトルの追加冷却保管ができ、野菜室内で低温乾燥冷気によるＰＥＴボトルの冷却保存と低温高湿準密閉構造における野菜の長期新鮮保存の両立ができる冷蔵庫を製作できる。
【００１２】
以下、本発明の実施の形態について、図面を参照しながら説明する。なお、この実施の形態によってこの発明が限定されるものではない。
【００１３】
（実施の形態１）
図１（ａ）は、本発明による冷蔵庫の実施の形態１における野菜室内構成図、（ｂ）は図１（ａ）の詳細図で、図２（ａ）は、同実施の形態１の高湿保鮮ケースとして野菜を縦置き保存する場合を示す図、図２（ｂ）は実施の形態１のＰＥＴボトルを数多く保存する場合の使い方を示す図である。
【００１４】
図１において、１４は引出式野菜室であり底面に保鮮補助機能分子透過口２３を設けてある上段野菜容器１５と前面側壁に冷気循環風路口１９を設けてある下段野菜容器１６と背面側壁に保鮮補助機能分子透過口２０を設けてある蓋付き野菜ケース１７と段違い仕切り板１８とより構成配置している。野菜室内天面には保鮮補助機能分子発生装置２２を含む冷気戻り風路が形成されており、手前部には冷気戻り風路口２１が開口している。
【００１５】
図２の（ａ）において、蓋付き野菜ケース１７は正規使用形態であり背面側壁に開けた保鮮補助機能分子透過口２０を下段野菜容器１６の内側に向けて配置し上部一側壁と上段野菜容器１５の一側壁が近接して準密閉構造として下段野菜容器１６内及び蓋付き野菜ケース１７を隔離空間にさせている。
【００１６】
図２の（ｂ）において、蓋付き野菜ケース１７は逆さ挿入してあり蓋は開放して下段野菜容器１６との隙間に収納してあるものであり背面側壁に開けた保鮮補助機能分子透過口２０を下段野菜容器１６の外側に向けて配置し、その位置は下段野菜容器１６の前面側壁に設けた冷気循環風路口１９と一致している。保鮮補助機能分子透過口２０と反対側壁と上段野菜容器１５の一側壁が近接して準密閉構造として下段野菜容器１６内を隔離空間にさせている。
【００１７】
以上のように構成された冷蔵庫について、以下その動作、作用を説明する。
【００１８】
引出式野菜室１４内の冷気循環挙動２４ａは下段野菜容器１６の外側背面から流れ込み、下段野菜容器１６の外側底面を経由して下段野菜容器１６の外側前面に設けた冷気循環風路口１９から下段野菜容器内に流入しＰＥＴボトルを冷却した後、野菜室天面に設けた冷気戻り風路２１から帰っていく。ＰＥＴボトルの保管場所の背面には段違い仕切り板１８が上段野菜容器１５の底面に近接して準密閉構造とし、かつ蓋付き野菜ケースの上部一側壁と上段野菜容器１５の一側壁が近接して準密閉構造としているため下段野菜容器１６内及び蓋付き野菜ケース１７内を隔離空間にすることができ、上段野菜容器１５内と合せて冷却冷気の循環がほとんどない低温高湿空間を維持して野菜の乾燥を抑制し長期保存に適した環境を確保することができる。また蓋付き野菜ケース１７では本来野菜保存の基本である縦置き保存も可能でありアスパラガス・キュウリ・小松菜・チンゲンサイ・ホウレンソウ等の野菜の衰弱抑制をすることができる。仮に蓋付き野菜ケース１７に結露したとしてもケースごと丸洗い清掃することができ、メンテが楽で清潔性を維持することができる。
【００１９】
野菜室内天面にはミストやナノｅ等の保鮮補助機能分子発生装置２２が設置してあり底面に上段野菜容器１５の保鮮補助機能分子透過口２３と蓋付き野菜ケース１７の保鮮補助機能分子透過口２０を経て保鮮補助機能分子拡散挙動２５は野菜収納スペース全体に行き渡ることができ野菜の除菌脱臭栄養素増加などができる。
【００２０】
蓋付き野菜ケース１７を逆さ挿入し蓋は開放して下段野菜容器１６との隙間に収納することで蓋付き野菜ケース１７の背面側壁に開けた保鮮補助機能分子透過口２０位置と下段野菜容器１６の前面側壁に設けた冷気循環風路口１９位置と一致しているため、冷気循環挙動２４ｂは蓋付き野菜ケース１７内に流入、野菜室の全幅にわたってＰＥＴボトルを追加冷却保存できる。保鮮補助機能分子透過口２０と反対側壁と上段野菜容器１５の一側壁が近接して準密閉構造として下段野菜容器１６内を隔離空間にすることができ、上段野菜容器１５内と合せて冷却冷気の循環がほとんどない低温高湿空間を維持して野菜の乾燥を抑制し長期保存に適した環境を確保することができる。
【産業上の利用可能性】
【００２１】
以上のように、本発明にかかる冷蔵庫は、蓋付き野菜ケース一側壁と上段野菜容器の一側壁が近接して下段野菜容器内を隔離空間にさせ、段違い仕切り板によりＰＥＴボトルと蓋付き野菜ケースの保管場所を限定し、蓋付き野菜ケース保管位置では高さ低めの位置決めリブとして活用し、ＰＥＴボトル保管位置では上段野菜容器の底面に近接して下段野菜容器内を隔離空間にさせる、蓋付き野菜ケースの一側壁に保鮮補助機能分子の透過口を設け、前後逆挿入した場合下段野菜容器に開いた冷気循環風路と位置関係が一致することでＰＥＴボトルの追加冷却保管ができることを特徴とするものである。
【００２２】
これによって野菜室内で低温乾燥冷気によるＰＥＴボトルの冷却保存と低温高湿準密閉空間における野菜の長期新鮮保存の両立ができる冷蔵庫を提供することができるもので冷凍冷蔵機器全般の用途にも適用できる。
【図面の簡単な説明】
【００２３】
【図１】（ａ）本発明による冷蔵庫の実施の形態１における野菜室内構成図（ｂ）図１（ａ）の詳細図
【図２】（ａ）同実施の形態１の高湿保鮮ケースとして野菜を縦置き保存する場合を示す図（ｂ）同実施の形態１のＰＥＴボトルを数多く保存する場合を示す図
【図３】（ａ）従来の冷蔵庫の縦断面図（ｂ）従来の冷蔵庫の野菜室詳細図
【符号の説明】
【００２４】
１    冷蔵庫
２    外郭外箱
３    内箱
４    断熱ウレタン
５    冷蔵室
６    野菜室
７    切替室
８    冷凍室
９    回転式扉
１０  引出式扉
１３  仕切り板
１５  上段野菜容器
１６  下段野菜容器
【図１】
2010048426.tif 000003
【図２】
2010048426.tif 000004
【図３】
2010048426.tif 000005